(57)【要約】【課題】  限られた設置場所に置けて、ペットを身近で観察することのできるペット用遊戯具付腰掛家具を提供する。【解決手段】  ペット用遊戯具付腰掛家具は、接地面に載置される支持部材１と、支持部材１に垂直方向へ固定されてペットの遊戯具を兼ねる複数本の支柱部材２と、支柱部材２に固定されて人間が腰掛けることが可能な座面部材３と、座面部材３に固定されて人間が寄り掛かることが可能な背もたれ部材４と、支柱部材２に固定されてペットが滞在及び飛び移り自在な棚板部材５とからなる。【選択図】図１
0003202535.tif 000002
【実用新案登録請求の範囲】
【請求項１】
接地面に載置される支持部材と、この支持部材に垂直方向へ固定されてペットの遊戯具を兼ねる複数本の支柱部材と、この支柱部材に固定されて人間が腰掛けることが可能な座面部材と、この座面部材に固定されて人間が寄り掛かることが可能な背もたれ部材と、前記支柱部材に固定されてペットが滞在及び飛び移り自在な棚板部材と、を備えていることを特徴とするペット用遊戯具付腰掛家具。
【請求項２】
前記支柱部材と前記棚板部材とからなるペット用遊戯具が、前記支柱部材と前記座面部材と前記背もたれ部材とからなる腰掛家具の左右端個所またはその近傍個所の左右両方に設置されてなることを特徴とする請求項１に記載のペット用遊戯具付腰掛家具。
【考案の詳細な説明】
【技術分野】
【０００１】  この考案は、限られた設置場所に置けると共にペットを身近で観察することができるペット用遊戯具付腰掛家具に関するものである。
【背景技術】
【０００２】  ネコ、イヌ、ウサギ等の小型動物をペットとして室内で遊ばせるための所謂キャットタワーと称するペット用遊戯具が知られている。【０００３】  例えば、特許第４５２４２３９号公報（従来技術１）には、図２で示すように、垂直方向に延びる垂直方向部材または柱部材であるポール部材１１と、同じく垂直方向部材または柱部材（遊戯部材）であるポール状遊戯部材１２と、水平方向に延びる水平方向部材または棚部材である棚板１３と、同じく水平方向部材または棚部材（遊戯部材）である棚板状遊戯部材１４と、ハウス部材１５と、天井との間で突っ張って固定するアジャスタ装置１６を備えたペット用遊戯具１０が開示されている。【０００４】  また、特開２０１２−１１５１４９号公報（従来技術２）には、図３で示すように、床面などの接地面に載置される支持板２１と、複数本の支柱２２と、支柱２２に支持されて猫が滞在及び飛び移り自在な棚板２３と、支柱２２に支持されて外周の一部に囲み壁を有するベッド部２４とを備えており、支柱２２、棚板２３、及びベッド部２４は相互に連結する連結手段を備えたペット用遊戯具２０が開示されている。
【先行技術文献】
【特許文献】
【０００５】
【特許文献１】  特許第４５２４２３９号公報
【特許文献２】  特開２０１２−１１５１４９号公報
【考案の概要】
【考案が解決しようとする課題】
【０００６】  斯かるペット用遊戯具１０、２０は、何れも相応の専用領域が必要であるため設置場所が限定され、また、ペット用遊戯具１０、２０の近くに行かないとペットを身近で観察できないなどの問題があった。
【課題を解決するための手段】
【０００７】  この考案のペット用遊戯具付腰掛家具は、接地面に載置される支持部材と、この支持部材に垂直方向へ固定されてペットの遊戯具を兼ねる複数本の支柱部材と、この支柱部材に固定されて人間が腰掛けることが可能な座面部材と、この座面部材に固定されて人間が寄り掛かることが可能な背もたれ部材と、前記支柱部材に固定されてペットが滞在及び飛び移り自在な棚板部材とからなることを特徴としている。【０００８】  この特定事項により、ペット用遊戯具だけの設置場所が必要なくなり比較的狭い部屋であっても設置することができる。【０００９】  しかも、自然にペットが人間に近づいて来ることになるため、ペットを身近で観察することができる。【００１０】  また、この考案のペット用遊戯具付腰掛家具は、前記支柱部材と前記棚板部材とからなるペット用遊戯具が、前記支柱部材と前記座面部材と前記背もたれ部材とからなる腰掛家具の左右端個所またはその近傍個所の左右両方に設置されてなることを特徴としている。【００１１】  この特定事項により、前記腰掛家具の左右端個所またはその近傍個所の左右両方に前記ペット用遊戯具が位置することとなって、前記腰掛家具の安定性が向上して腰掛けとしての利便性が向上する。
【考案の効果】
【００１２】  この考案によれば、限られた設置場所に置けると共に容易に移動することができ、ペットを身近で観察することのできるペット用遊戯具付腰掛家具を提供することができる。【００１３】  また、腰掛家具としての利便性を損なわずに実施することができる。
【図面の簡単な説明】
【００１４】
【図１】  この考案の実施例に係る斜視図である。
【図２】  従来技術１に係る斜視図である。
【図３】  従来技術２に係る斜視図である。
【考案を実施するための形態】
【００１５】  ペット用遊戯具と腰掛家具とを一体に構成するもので、特に、ペット用遊戯具が腰掛家具の左右端の両側に位置する。
【実施例】
【００１６】  以下、この考案の実施例について、図面を参照しつつ説明する。【００１７】  図１は、この考案の実施形態に係るペット用遊戯具付腰掛家具の斜視図であり、室内の床面などの接地面に載置される平板状の支持部材１と、支持部材１に垂直方向へ固定されてペットの遊戯具を兼ねる複数本のポール状の支柱部材２と、支柱部材２に固定されて人間が腰掛けることが可能な平板状の座面部材３と、座面部材３に固定されて人間が寄り掛かることが可能な平板状の背もたれ部材４と、支柱部材２に固定されてペットが滞在及び飛び移り自在な棚板部材５と、を備えており、支柱部材２と棚板部材５とがペット用遊戯具Ａ、支柱部材２と座面部材３と背もたれ部材４とが腰掛家具Ｂの各機能を有している。【００１８】  ペットの飼い主などの人間は、腰掛家具Ｂに腰掛けているだけで、自然にペットが人間に近づいて来ることになるため、ペット用遊戯具Ａで遊んだり休憩したりするペットを身近で観察することができ、ペットとの触れ合う機会も増大する。【００１９】  ペット用遊戯具Ａと腰掛家具Ｂとが一体であるため、ペット用遊戯具Ａの専用スペースを確保する必要がなく、また、移動するに際しても通常別体であるペット用遊戯具Ａと腰掛家具Ｂとを一緒に動かせることで容易に移動することができ、部屋の模様替えなどにおいて便利である。【００２０】  なお、支持部材１は、一枚の平板状ではなく、腰掛家具Ｂの脚となっている座面部材３の下方の複数の支柱部材２の夫々の下端に個別に取り付ける、あるいは数個の支柱部材２をグループ分けしてそのグループ毎に一つの支持部材１を取り付けることにしたり、更に形状や材質も任意に選択することができることは言うまでもなく、例えば、平板状の板材やゴムなどの弾性クッション材で構成することができる。【００２１】  また、棚板部材５は、木製、樹脂製、金属製などペットの重量や移動時の衝撃に耐えられる材料を用いて任意の形状に形成することが可能であり、例えば、腰掛家具Ｂの左右端個所の両方に設置したペット用遊戯具Ａを連結するように架設した図１の一番上の棚板部材５を透明アクリル素材で形成し、高い位置（腰掛ける人間の頭部以上）に設置し、人間がその棚板部材５を腰掛家具Ｂの前方の下方より腰掛ける構成にすることで、ペットがその棚板部材５上に乗った時には、普段見ることのできない個所（ペットの腹部など）やしぐさ（ネコの香箱座りなど）を非日常アングル（下方から）から観察できる。【００２２】  また、ペット用遊戯具Ａには、従来技術１のハウス部材１５や従来技術２のベッド部２４のようなペットの遊戯具を随意に取り付けても良い。【００２３】  また、支柱部材２の外周面に布地を張る、縄紐を巻き付けるなど施すことで、ネコなどの爪研ぎ用とすることもできる。【００２４】  また、この実施例では、ペット用遊戯具Ａを腰掛家具Ｂの左右端個所の両方に設置したが、腰掛家具Ｂの左右端個所の何れか一方のみ設け、他方を通常の腰掛家具の脚と肘置きを形成しても良いが、腰掛家具Ｂの左右端個所またはその近傍個所の左右両方にペット用遊戯具Ａが位置する構成とする方が腰掛家具Ｂとしての安定性が向上し、ペット用遊戯具Ａが多く設置されるため多数のペットに対応しやすくなる。【００２５】  また、この実施例では、座面部材３や背もたれ部材４を平板状とした所謂ベンチとして説明したが、クッションが供えられた所謂ソファー、イスなどの形状、機能にしても良い。
【産業上の利用可能性】
【００２６】  この考案からなるペット用遊戯具付腰掛家具は、ペットを室内で飼うためのペット用遊戯具として、かつ、飼い主などの人間が休息できる腰掛家具として利用することができる。【００２７】  もちろん、この考案からなるペット用遊戯具付腰掛家具は、接地面があれば利用可能であり、室内だけでなく庭やベランダなどの室外で使用することもできる。
【符号の説明】
【００２８】  １  支持部材
２  支柱部材
３  座面部材
４  背もたれ部材
５  棚板部材
Ａ  ペット用遊戯具
Ｂ  腰掛家具
【図１】
0003202535.tif 000003
【図２】
0003202535.tif 000004
【図３】
0003202535.tif 000005